(57)【要約】【課題】ＩＳＤＮ回線のＢチャネルデータを多重化し、回線の契約数を抑え、回線コストを最小限にする。【解決手段】通信端末に接続される端末インタフェース部４１と、端末インタフェース部に接続される遅延回路４２と、ＩＳＤＮ回線インタフェース部４５と、端末インタフェース部４１からのデータを専用回線３のＢチャネルに多重化するＢチャネル多重化部４３とを備えたＩＳＤＮ回線多重化装置４において、専用回線３で多重化通信時に新たに端末インタフェースから通信要求があると既多重化通信速度の和とあらたな通信要求の通信速度の総和を演算する機能と、通信速度の総和がＢチャネルの通信速度を上回るときに通信可能な通信速度を新たな通信端末と調整する機能と、調整された通信速度で新たな端末インタフェース４１からの通信をＢチャネルに多重化位置を指定して多重化させる機能を有する制御部４６を有する。【選択図】図４
2010288222.tif 000002
【特許請求の範囲】
【請求項１】
それぞれ通信端末と接続される複数の端末インタフェース部と、端末インタフェース部に接続される複数の遅延回路と、ＩＳＤＮ回線インタフェース部と、前記複数の端末インタフェース部からのデータをＩＳＤＮ回線のＢチャネルに多重化するＢチャネル多重化部とを備えたＩＳＤＮ回線多重化装置。
【請求項２】
それぞれ通信端末と接続される複数の端末インタフェース部と、端末インタフェース部に接続される複数の遅延回路と、ＩＳＤＮ回線インタフェース部と、前記複数の端末インタフェース部からのデータをＩＳＤＮ回線のＢチャネルに多重化するＢチャネル多重化部とを備えたＩＳＤＮ回線多重化装置において、
通信端末状態登録機能を有し、複数の端末インタフェース部からの通信データをＩＳＤＮ回線に多重化して通信行う際に、接続されている端末インタフェースの通信の通信速度の和と通信速度の総和を演算する通信速度総和演算機能と、通信速度の総和がＢチャネルの通信速度を上回るときに通信可能な通信速度を端末インタフェースに接続された通信端末と調整する機能と、調整された通信速度で端末インタフェースの通信をＢチャネルに多重化位置を指定して多重化させる多重位置指定機能を有する制御部を有する
ことを特徴とするＩＳＤＮ回線多重化装置。
【発明の詳細な説明】
【技術分野】
【０００１】
本発明は、複数のＩＳＤＮ端末インタフェースからのＢチャネルデータをＩＳＤＮ回線インタフェースのＢチャネルへ多重化するＩＳＤＮ回線多重化装置に関する。
【背景技術】
【０００２】
複数のデータ端末間でＩＳＤＮ回線を介して通信する場合には、それぞれのデータ端末間がターミナルアダプタを介して６４Ｋｂｉｔ／ｓのＢ１チャネルまたはＢ２チャネルを用いて接続されるか、もしくはＢ１チャネルとＢ２チャネルを用いた１２８ｋｂｉｔ／ｓで接続され通信を行なっている。このようなＩＳＤＮ回線を用いた通信方式では、データ端末の通信速度にかかわりなくそれぞれのデータ端末毎に最低でも６４ｋｂｉｔ／ｓの回線契約が必要であった。
【０００３】
従来のＩＳＤＮ回線で用いられる多重化通信システムの構成を、図１０を用いて説明する。従来のＩＳＤＮ回線で用いられる多重化通信システムは、一方の複数の通信端末（ＤＴＥ）１−１、１−２と対向側の通信端末（ＤＴＥ）１―１´、１−２´がそれぞれターミナルアダプタ（ＴＡ）２−１、２―２、２−１´、２―２´およびＩＳＤＮ回線３を介して接続されて構成される。ＩＳＤＮ回線３は、契約により６４ｋｂｉｔ／ｓと１２８ｋｂｉｔ／ｓの契約が可能であり、６４ｋｂｉｔ／ｓ契約の場合には使用するＢチャネルはＢ１チャネルとなり、１２８ｋｂｉｔ／ｓの場合には使用するＢチャネルはＢ１チャネルとＢ２チャネルとなる。この説明では１２８Ｋｂｉｔ／ｓの場合を説明する。
【０００４】
一方の通信端末１―１、１−２はターミナルアダプタ２−１、２−２を介してＩＳＤＮ回線３に接続される。このとき、ターミナルアダプタ２−１は、使用するＩＳＤＮ回線３のＢチャネルのＢ１チャネルを使用するように設定される。また、ターミナルアダプタ２−２は使用するＩＳＤＮ回線３のＢチャネルのＢ２チャネルを使用するように設定される。対向側ターミナルアダプタ２−１´、２−２´も使用するＩＳＤＮ回線３のＢチャネルの設定をＢ１チャネル、Ｂ２チャネルとすることにより、通信端末１−１と通信端末１−１´、通信端末１−２と通信端末２−２´が通信することができる。このように通信端末毎にＩＳＤＮ回線のＢチャネルを契約する必要がある。
【０００５】
このような問題に対処するために、図１１に示すように、互いに対向する端末装置間を時分割多重化装置および高速デジタル回線を介して接続して通信を行うシステムにおいて、高速デジタル回線をバックアップするＩＳＤＮ回線のＢ１チャネルとＢ２チャネルに対して通話の割り当てを行ってＩＳＤＮ回線の通信料金を安価に抑えるために、時分割多重化装置を通して高速デジタル回線とは別に設けたバックアップ回線であるＩＳＤＮ回線のＢ１チャネルおよびＢ２チャネルを用いて通信している状態（１）において、呼に溢れが生じた時点でＢ１チャネルおよびＢ２チャネルで通話路ｂ１、ｂ２、ｂ３、ｂ４を多重化して呼の溢れを吸収し（２）、その後、溢れ呼が減少してＢ１チャネルおよびＢ２チャネルの通話路ｂ２、ｂ４が終話する（３）と、Ｂ２チャネル通話路ｂ３をＢ１チャネルに新たに確保し（４）、その後、Ｂ２チャネルの呼接続を切断して、２つの通話路ｂ１、ｂ２をＢ１チャネルにまとめる通話路割り当てを行う（５）ことが提案されている（例えば、特許文献１参照）。
【先行技術文献】
【特許文献】
【０００６】
【特許文献１】特開平０８−２０４６７２号公報
【発明の概要】
【発明が解決しようとする課題】
【０００７】
特許文献１の通信システムでは、溢れ呼が発生した場合に、バックアップ用ＩＳＤＮ回線のＢチャネルに複数の通話路を多重化して通信を行い、溢れ呼が減少したときには、Ｂチャネルの通話路を一つに移行してＩＳＤＮ回線のＢチャネルを空き状態として他の通信に有効利用できるようにすることが示されているが、複数のターミナルアダプタを接続して、ＩＳＤＮ回線のＢチャネルに複数の通話路を構成し、それぞれのターミナルアダプタの運用を可能とする技術は示されていない。
【０００８】
本発明は、複数の通信端末と対向する複数の通信端末を、ＩＳＤＮ回線を介して接続した通信システムにおいて、一つのＢチャネルを接続した通信装置に、ＩＳＤＮ回線インタフェースを介して複数のターミナルアダプタを接続し、通信装置側でＢチャネルを時分割多重化して通話路を構成し、固定的な通信速度で使用することを可能とし、一つのＩＳＤＮ回線契約を行い、複数のターミナルアダプタの運用を可能とすることで、回線契約数を増やすこと無く、ターミナルアダプタを利用する際の回線契約コストを最小限にすることを目的とする。
【課題を解決するための手段】
【０００９】
複数のＩＳＤＮ回線インタフェースのＢチャネルデータを取り出し、ＩＳＤＮ回線Ｂチャネルへ多重して対向装置へ転送し、対向装置では、ＩＳＤＮ回線インタフェースのＢチャネルデータを取り出し、複数のＩＳＤＮ端末インタフェースのＢチャネルへ振り分ける。
【発明の効果】
【００１０】
本発明によれば、通信端末に接続されるターミナルアダプタのデータ通信速度が３２ｋｂｉｔ／ｓ以下で運用可能である場合には、通信端末が接続された複数のターミナルアダプタのＢチャネルデータを多重化し、データ通信を行うことにより、例えば１回線のＩＳＤＮ回線契約を行い、４台のターミナルアダプタを接続して運用することが可能となり、ＩＳＤＮ回線の契約数を抑えることができ、回線コストを最小限にすることができる。
【図面の簡単な説明】
【００１１】
【図１】本発明にかかるＩＳＤＮ回線多重化装置を用いた通信システムの構成の概要を説明する図。
【図２】ＩＳＤＮ回線のＢチャネルデータ配列を説明する図。
【図３】ＩＳＤＮ回線の多重化されたＢチャネルデータ配列を説明する図。
【図４】本発明にかかるＩＳＤＮ回線多重化装置（送信側）の構成の概要を説明するブロック図。
【図５】本発明にかかるＩＳＤＮ回線多重化装置（受信側）の構成の概要を説明するブロック図。
【図６】本発明にかかるＩＳＤＮ回線多重化装置の制御部の機能構成を説明するブロック図。
【図７】本発明における各ターミナルアダプタとＩＳＤＮ回線のＢチャネルデータの配列の例を説明する図。
【図８】送信時の各ターミナルアダプタのデータ配列およびＩＳＤＮ回線の多重化Ｂチャネルデータ配列の例を説明する図。
【図９】ＩＳＤＮ回線の多重化Ｂチャネルデータの配列および受信時の各ターミナルアダプタのデータ配列の例を説明する図。
【図１０】従来のＩＳＤＮ回線多重化装置を用いた通信システムの構成の概要を説明する図。
【図１１】特許文献１のＩＳＤＮ回線多重化の例を説明する図。
【発明を実施するための形態】
【００１２】
図１を用いて、本発明にかかるＩＳＤＮ回線多重化通信システムの構成を説明する。本発明にかかるＩＳＤＮ回線多重化通信システムは、一方の複数の通信端末（ＤＴＥ）１−１、１−２と対向側の通信端末１―１´、１−２´が、それぞれ一方のターミナルアダプタ（ＴＡ）２−１、２―２と対向側のターミナルアダプタ２−１´、２―２´および一方のＩＳＤＮ回線多重化装置４Ｓ、対向側のＩＳＤＮ回線多重化装置４ＲならびにＩＳＤＮ回線３を介して接続されて構成される。通信端末装置１−１、１−２、１−１´、１−２´はそれぞれ３２ｋｂｉｔ／ｓの通信速度で通信すると設定された場合である。
【００１３】
一方の通信端末１−１、１−２は、ターミナルアダプタ２−１、２−２を介してＩＳＤＮ回線多重化装置４に接続される。このときターミナルアダプタ２−１がＢ１チャネルを、ターミナルアダプタ２−２がＢ２チャネルを使用するように設定する。一方のＩＳＤＮ回線多重化装置４Ｓは、ターミナルアダプタ２−１、２−２のＢチャネルデータを取り出し、ＩＳＤＮ回線３のＢ１チャネルへデータを多重して対向側ＩＳＤＮ回線多重化装置４Ｒへ転送し、対向装置では、ＩＳＤＮ回線３のＢチャネルへデータを取ることにより、一方の通信端末１−１と対向側通信端末１−１´、一方の通信端末１−２と対向側通信端末１−２´との間で通信することができる。なお、各チャネルのＢチャネルのＢ１チャネル、Ｂ２チャネルは一例を示すものであり、それを規定するものではない。
【００１４】
図２を用いてＩＳＤＮ回線のＢチャネルデータの配列を説明する。ＩＳＤＮ回線のＢチャネルデータは、Ｂ１チャネルデータ（８ビット）とＢ２チャネルデータ（８ビット）が交互に送出される構成となっており、Ｂ１チャネルデータ、Ｂ２チャネルデータの順番に繰り返して転送される。
【００１５】
図１に示した本発明のＩＳＤＮ回線の多重化されたＢチャネルデータの配列を、図３を用いて説明する。図１のＩＳＤＮ回線多重化装置４Ｓは、ターミナルアダプタ２−１のＢ１チャネルデータとターミナルアダプタ２−２のＢ２チャネルデータを取り出し、ＩＳＤＮ回線３のＢ１チャネルへ転送するときは、Ｄ１ビット〜Ｄ４ビットにターミナルアダプタ２−１のデータを、Ｄ５ビット〜Ｄ８ビットにターミナルアダプタ２−２のデータを多重化する。
【００１６】
対向側ＩＳＤＮ回線多重化装置４Ｒにおいては、ＩＳＤＮ回線３のＢ１チャネルからデータを受信する場合には、Ｄ１ビット〜Ｄ４ビットのデータをＢ１チャネルを介してターミナルアダプタ２−１に、Ｄ５ビット〜Ｄ８ビットのデータをＢ２チャネルを介してターミナルアダプタ２−２に振り分ける。この実施例は、各通信端末の通信速度が３２ｋｂｉｔ／ｓ（４ビット）の場合を示したものであり、最大８ビット分の多重化が可能である。
【００１７】
図４のブロック図を用いて本発明にかかる送信側のＩＳＤＮ回線多重化装置の構成の概要を説明する。この説明では、ＩＳＤＮ回線多重化装置には３台の通信端末が接続され、通信端末の１台は３２ｋｂｉｔ／ｓの通信速度で、残りの一台はそれぞれ１６ｋｂｉｔ／ｓの通信速度で通信すると設定された場合である。送信側のＩＳＤＮ回線多重化装置４Ｓは、それぞれが通信端末に接続される複数のターミナルアダプタ２−１〜２−３を接続するための端末インタフェース部４１−１〜４１−３と、そのデータをチャネル多重化する際に各データをそれぞれ異なる時間だけ遅延させる遅延回路４２−１〜４２−３と、各データを多重化するＢチャネル多重部４３と、ＩＳＤＮ回線３と接続するための回線インタフェース部４５と、制御部４６を備えている。
【００１８】
端末インタフェース部４１−１〜４１−３はＩＳＤＮ回線３の網同期クロックに同期して、各ターミナルアダプタのＢ１チャネルデータを受信する。
【００１９】
遅延回路４２−１〜４２−３は各ターミナルアダプタ２−１〜２−３から受信したＢ１チャネルデータを、ＩＳＤＮ回線の網同期クロックに同期したＢ１チャネルデータに配列するための遅延を行う。
【００２０】
チャネル多重部４３は遅延回路４２−１〜４２―３で遅延したデータをＢ１チャネルデータに配列する。
【００２１】
回線インタフェース部４５はＩＳＤＮ回線３の網同期クロックを抽出し、各ターミナルアダプタを網クロックに従属させる。
【００２２】
制御部４６は端末インタフェース部４１−１〜４１−３および遅延回路４２−１〜４２−３の遅延設定、およびチャネル多重部４３の多重数等の設定を行う。
【００２３】
図５のブロック図を用いて、本発明にかかる受信側のＩＳＤＮ回線多重化装置の構成の概要を説明する。受信側のＩＳＤＮ回線多重化装置４Ｒには複数のターミナルアダプタ２−１〜２−３を接続するための端末インタフェース部４１−１〜４１−３とそのデータをチャネル多重化するための遅延回路４２−１〜４２−３とチャネル分割部４４とＩＳＤＮ回線３と接続するための回線インタフェース部４５と制御部４６を備えている。
【００２４】
端末インタフェース部４１−１〜４１−３、遅延回路４２−１〜４２−３、回線インタフェース部４５は、送信側のＩＳＤＮ回線多重化装置４Ｓの同じ装置と同様の働きをする。制御部４６は端末インタフェース部４１−１〜４１−３および遅延回路４２−１〜４２−３の遅延設定、およびチャネル分割部４４の多重数（分割数）等の設定を行う。
【００２５】
ＩＳＤＮ回線３から受信したＢ１チャネルデータはチャネル分割部４４で各ターミナルアダプタ２−１〜２−３のＢ１チャネルデータとして分割される。分割されたＢ１チャネルデータは遅延回路４２−１〜４２−３へ送られて各ターミナルアダプタ２−１〜２−３のＢ１チャネル信号の先頭（Ｄ１）から送出できるように遅延させる。
【００２６】
図６を用いて制御部４６の機能構成を説明する。制御部４６は、ＩＳＤＮ回線多重化装置の動作を制御するとともに、複数の端末インタフェース部からの通信データをＩＳＤＮ回線に多重化して通信を制御する。制御部４６は、ＩＳＤＮ回線多重化装置に接続され、使用される端末インタフェースの数から多重化する通信の通信速度の和と通信要求の通信速度の総和を演算する通信速度総和演算機能４６１と、通信速度の総和がＢチャネルの通信速度を上回るときに通信可能な通信速度をＩＳＤＮ回線多重化装置に接続される全ての端末インタフェースに接続された通信端末と通信速度を調整する通信速度調整機能４６２と、調整された通信速度で端末インタフェースからの通信をＢチャネルに多重化位置を指定して多重化させる多重位置指定機能４６３と、本発明の多重化装置に接続される通信端末が対応しうる通信速度およびその通信端末が通話中であるか非通話中であるかの通話状態ならびに使用するＩＳＤＮ回線のチャネル名を通信端末毎に記述した通信端末状態登録機能４６４を備えている。
【００２７】
この制御部４６は、通信端末（ターミナルアダプタ）が接続されたときに、通信端末状態登録機能４６４を参照して接続された通信端末が使用する通信速度とチャネル名称および使用するＢチャネルの使用状態とから、通信速度総和演算機能４６１が使用するＢチャネルに通話路の余裕があるか否かを判断し、通信速度調整機能４６２が使用できる通話路の通信速度で通話するか否かを接続してきた通信端末と調整を行い、通信端末から要求された通信速度で利用可能であれば、要求された通信速度での接続を行い、通信端末から要求された通信速度で利用不可能（通話路の余裕が無い状態）であれば、通信可能な通信速度を対向する通信端末に通知し、通信可能な通信速度での接続を促し、通信端末側がＩＳＤＮ回線多重化装置から通知を受けた通信速度での通信が可能な場合には接続を行う。この条件での接続ができない場合には、接続を行わず通信端末へ接続不可の情報を通知する。通信を行うときには、多重位置指定機能４６３が通信端末からのデータをＩＳＤＮ回線のＢチャネルの所定でデータ位置を指定して多重化する。このように、ＩＳＤＮ回線多重化装置は、端末インタフェースに通信端末が接続された際に、通信速度を調整し、利用可能な通信速度を固定してＢチャネルのデータ配列を決定することで、１つのＩＳＤＮ回線を使用した多重化通信の接続を行う。
【００２８】
また、通信端末側から通信速度の要求が無い場合などを考慮して、ＩＳＤＮ回線多重化装置側で、固定的に端末インタフェースの通信速度を決定できるようにハード的なスイッチを設けても良い。この場合には、利用する通信端末の台数に応じて、全ての端末インタフェースの通信速度が、固定された通信速度で運用されるようになる。例えば、４台を接続して運用する場合には全て３２ｋｂｉｔ／ｓの通信速度となり、８台を接続して運用する場合には、全て１６ｋｂｉｔ／ｓの通信速度となる。
【００２９】
図７を用いて各ターミナルアダプタとＩＳＤＮ回線のＢチャネルデータの配列の例を説明する。この例はターミナルアダプタ２−１が３２ｋｂｉｔ／ｓの通信速度を、ターミナルアダプタ２−２、２−３がそれぞれ１６ｋｂｉｔ／ｓの通信速度で通信すると設定された場合である。ターミナルアダプタ２−１とターミナルアダプタ２−２およびターミナルアダプタ２−３のＢチャネルデータは、ＩＳＤＮ回線３のフレームクロックに同期して各々のＢ１チャネル信号の先頭（Ｄ１）からデータを送信している。本発明のＩＳＤＮ回線多重化装置は、複数のターミナルアダプタのＢ１チャネルデータをＩＳＤＮ回線のＢ１チャネルへ多重化しデータ通信を行う。ターミナルアダプタ２−１のデータＤ１〜Ｄ４がＩＳＤＮ回線のＢ１チャネルの多重化データのＤ１〜Ｄ４とされ、ターミナルアダプタ２−２のデータＤ１、Ｄ２がＩＳＤＮ回線のＢ１チャネルの多重化データＤ５、Ｄ６とされ、ターミナルアダプタ２−３のデータＤ１、Ｄ２がＩＳＤＮ回線のＢ１チャネルの多重化データＤ７、Ｄ８とされる。
【００３０】
図８を用いて送信時の各ターミナルアダプタのデータ配列および多重化の例を説明する。ターミナルアダプタ（ＴＡ１）２−１からのデータＤ１〜Ｄ４はそのまま遅延を設ける必要がなく送出されるが、ターミナルアダプタ（ＴＡ２）２−２およびターミナルアダプタ（ＴＡ３）２−３のデータＤ１、Ｄ２については多重データの次のＢ１チャネル部のタイミングで送出する必要がある。
【００３１】
すなわち、１回目のデータは、ターミナルアダプタ（ＴＡ１）２−１ではデータＤ１〜Ｄ４が、遅延を受けることなく１回目のＢ１チャネルの多重化データＤ１〜Ｄ４に搭載される。しかしながら、ターミナルアダプタ（ＴＡ２）２−２のデータＤ１、Ｄ２およびターミナルアダプタ（ＴＡ３）２−３の１回目のデータＤ１、Ｄ２は、遅延回路４２−２、４２−３で所定量の遅延を受けてそれぞれ２回目のＢ１チャネルの多重化データＤ５、Ｄ６およびＤ７、Ｄ８に搭載される。２回目のＢ１チャネルのＤ１〜Ｄ４にはターミナルアダプタ（ＴＡ１）２−１のデータＤ１〜Ｄ４が、遅延を受けることなくそのまま２回目のＢ１チャネルに搭載される。２回目のターミナルアダプタ（ＴＡ２）２−２のデータＤ１、Ｄ２およびターミナルアダプタ（ＴＡ３）２−３の２回目のデータＤ１、Ｄ２は、遅延回路４２−２、４２−３で所定量の遅延を受けてそれぞれ３回目のＢ１チャネルの多重化データＤ５、Ｄ６およびＤ７、Ｄ８に搭載される。
【００３２】
このようにして、ターミナルアダプタ２−１〜２−３からのデータは、ＩＳＤＮ回線３のＢ１チャネルに多重化されて対向する装置に送信される。
【００３３】
図９を用いて受信時の各ターミナルアダプタのデータ配列を説明する。ＩＳＤＮ回線３から受信した多重データＤ１〜Ｄ８は、ターミナルアダプタ（ＴＡ１）２−１のデータＤ１〜Ｄ４についてはそのまま遅延を設ける必要がなく送出されるが、ターミナルアダプタ（ＴＡ２）２―１のデータＤ５、Ｄ６およびターミナルアダプタ（ＴＡ３）２−３のデータＤ７、Ｄ８については、１回目のＢ１チャネル部のタイミングでは送出することができず、２回目の多重データのＢ１チャネル部のタイミングで各ターミナルアダプタ２−２、２−３に送出する必要がある。遅延回路４２−２、４２−３では各データが２回目のＢ１チャネルのタイミングで送出されるように所定時間データを遅延させる。
【００３４】
以上の説明では、送信側ＩＳＤＮ回線多重化装置４Ｓと受信側ＩＳＤＮ回線多重化装置４Ｒを別の装置として説明したが、ＩＳＤＮ回線多重化装置４として、送信側の機能と受信側の機能の双方を備えた装置とすることができる。すなわち、送受信機能を具備するＩＳＤＮ回線多重化装置４は、複数のターミナルアダプタ２を接続するための端末インタフェース部４１と、そのデータをＢチャネル多重化するための遅延回路４２と、Ｂチャネル多重化部４３と、Ｂチャネル分割部４４と、ＩＳＤＮ回線３と接続するための回線インタフェース部４５と、制御部４６を備えている。遅延回路４２は、端末インタフェース４１とＢチャネル多重部４３との間と、Ｂチャネル分割部４４と端末インタフェース部４２との間との２組の回路が設けられる。
【符号の説明】
【００３５】
１：通信端末（ＤＴＥ）
２：ターミナルアダプタ（ＴＡ）
３：ＩＳＤＮ回線
４：ＩＳＤＮ回線多重化装置
４１：端末インタフェース部
４２：遅延回路
４３：Ｂチャネル多重部
４４：Ｂチャネル分割部
４５：回線インタフェース部
４６：制御部
４６１：通信速度総和演算機能
４６２：通信速度調整機能
４６３：多重位置指定機能
４６４：通信端末状態登録機能
【図１】
2010288222.tif 000003
【図２】
2010288222.tif 000004
【図３】
2010288222.tif 000005
【図４】
2010288222.tif 000006
【図５】
2010288222.tif 000007
【図６】
2010288222.tif 000008
【図７】
2010288222.tif 000009
【図８】
2010288222.tif 000010
【図９】
2010288222.tif 000011
【図１０】
2010288222.tif 000012
【図１１】
2010288222.tif 000013